(57)【要約】  【課題】フルーツと枝がついた自然状態の花等の両方を飾り付けることができ、かつフルーツの載置領域を起こして目線に対してほぼ垂直になるように設置できて視認性が高く見栄えのよいフルーツ用装飾器具を提供することにある。  【解決手段】  ワイヤーハンガー１０の両側のワイヤー端部から挿入されてワイヤーハンガー１０の肩部をなす筒状体２０ａ、２０ｂを備え、この筒状体２０ａ、２０ｂの位置を変更することによってハンガーの肩幅の長さを変更できるようにしたものである。また、より確実な固定を確保するために、筒状体２０ａ、２０ｂに複数の紐孔２１を設け、両側に取り付けられた筒状体２０ａ、２０ｂを連結紐部材３０で結びつけて、確実に固定できるようにした。【選択図】図１
2006141620.tif 000002
【特許請求の範囲】
【請求項１】
ワイヤーハンガーに取り付けられて、ワイヤーハンガーの肩幅を調節するための部材であって、
ワイヤーハンガーのワイヤー端部が挿入されてワイヤーハンガーに固定されるとともに、その位置を変更してハンガーの両端幅を変更するための弾性を有する合成樹脂又はゴム製の肩部筒状体と、
該肩部筒状体に設けられた紐孔と、
該紐孔を介して両端の前記肩部筒状体の間隔を固定する連結紐部材と、
からなることを特徴とするワイヤーハンガーの肩幅調整部材。
【請求項２】
紐孔は、肩部筒状体の長手方向に沿って複数設けられていることを特徴とする請求項１に記載のワイヤーハンガーの肩幅調整部材。
【請求項３】
肩部筒状体は、長手方向に沿って複数の線状凸状部が形成されていることを特徴とする請求項１又は２に記載のワイヤーハンガーの肩幅調整部材。
【請求項４】
請求項１〜３に記載のワイヤーハンガーの肩幅調整部材の下方に取り付けられ、ズボンを掛着させるズボン掛着部材であって、
弾性を有する合成樹脂又はゴム製の懸架用筒状体からなり、肩幅調整部材から懸架する懸架用紐部材を通す懸架用紐孔が両端に設けられていることを特徴とするワイヤーハンガーのズボン掛着部材。
【請求項５】
懸架用筒状体は、長手方向に沿って複数の線状凸状部が形成されていることを特徴とする請求項４に記載のワイヤーハンガーのズボン掛着部材。
【請求項６】
ワイヤーハンガーと、複数の紐孔が長手方向に設けられるとともに、該ワイヤーハンガーの両端部からワイヤー端部が挿入されている合成樹脂又はゴム製の肩部筒状体と、
該肩部筒状体の紐孔を通して互いを連結している連結紐部材と、
両端に懸架用紐孔が設けられた合成樹脂又はゴム製の懸架用筒状体からなるズボン掛着部材と、
該ズボン掛着部材を懸架するための懸架用紐部材と、
を備えていることを特徴とするハンガー。
【発明の詳細な説明】
【技術分野】
【０００１】
本発明は、ワイヤーハンガーを利用して、さらなる機能を付加するための部材及びその部材が用いられたハンガーに関するものであって、ハンガー幅の長さの調整が可能となるワイヤーハンガーの肩幅調整部材、ズボンを滑り落ちることなく掛着できるズボン掛着部材、さらに、これら部材が用いられたハンガーに関する。
【背景技術】
【０００２】
ワイヤーハンガーを利用したハンガーとしては、種々の発明がなされている。例えば、二本のワイヤーハンガーを中央付近で交差させた後、この二本のワイヤーハンガーの端部を挟持する挟持部を設けた固定具と、この二本のワイヤーハンガーのフック首部をそろえて固定する束ね具からなるワイヤーハンガー用補助具を用いて、ワイヤーハンガーの両端を開かせた状態で維持させたものがある（特許文献１）。
【０００３】
このワイヤーハンガーによれば、通風性が良く洗濯物等は乾きが早くなり、洗濯物とワイヤーハンガーの接触面が増えるので洗濯物の重量で洗濯物が引っ張られ肩の部分が突き出して形くずれすることも防げるようになる。
【０００４】
しかしながら、この発明においては、二本のワイヤーハンガーの両端を開かせた状態に維持できるが、ハンガーの肩幅の長さを変えることができない。したがって、子供用と大人用又は男性用と女性用のように大きさの異なる洋服に合わせて肩幅を調整することができなかった。
【０００５】
この点を改良したものとして、ワイヤーハンガーの屈曲可能な線材製の衣服用ハンガーｈに装着して使用するものがある。これは、中央部１とこの中央部から左右に延設された腕部２，２とを有する。この中央部１は、上面３と、この上面の前後から下方に延設された前面４及び後面とを有する。この上面３は、線材製の衣服ハンガーのフック部を挿通し得るフック挿通孔３１を中央に有すると共に、フック挿通孔３１から上面の前端及び後端にかけて一体的に設けられたヒンジ部３２を備える。上記の前面４及び後面は、その上端まで左右に切り離されていると共に上記の上面３に設けられたヒンジ部３２に連設された切り離し部４１を有することにより、左右の前面４ａ、４ｂ及び後面に分割されている。そして、上記の腕部２は、線材製の衣服用ハンガーの線材が係止される係止部２２を有する。そして、上記ヒンジ部３２及びこれに連設された切り離し部４１から回動可能に構成されることにより、ハンガーの肩幅の調節を可能にしたことを特徴とするものである（特許文献２）。
【０００６】
確かに、この発明によれば、肩幅の調整を行うことができるという効果を有する。しかしながら、この肩幅調整部材は、ワイヤーハンガーのズボン吊り部分を折り曲げ、肩の部分の傾斜をきつくして肩幅を調整するものであるため、肩幅を狭くすると肩の部分の傾斜がきつくなりすぎて衣服がずり落ちるという問題点があった。また、ズボン吊り部分が折り曲げられてしまうため、ズボンをつり下げることができなくなるという問題点があった。
【０００７】
さらに、この肩幅調整部材は、一度ワイヤーハンガーに嵌めてしまうと係止部２２を破壊しなければ、取り外すことができないため、他のワイヤーハンガーに付け替えて使用することができない。しかしながら、ワイヤーハンガーは、折れやすく容易に形が崩れやすいため、簡単に取り外しができて、ワイヤーハンガーを新しく交換して使用することができる部材が望まれていた。
【特許文献１】特開平８−１１２１８７号公報
【特許文献２】実開平５−５３４４４号公報
【発明の開示】
【発明が解決しようとする課題】
【０００８】
そこで、本発明は以上のような問題点を鑑みてなされたものであり、ワイヤーハンガーの肩部の傾斜を変更することなく、ハンガーの肩幅の長さを自在に変更することができ、かつズボン吊り部分をも提供することができ、さらに、ワイヤーハンガーが折れたりして使用できなくなった場合には、容易に新しいワイヤーハンガーに交換することができるワイヤーハンガーの肩幅調整部材、ズボン掛着部材及びこれらを用いたハンガーを提供することにある。
【課題を解決するための手段】
【０００９】
以上のような課題を解決するために請求項１に係る発明が採った手段は、ワイヤーハンガー１０に取り付けられて、ワイヤーハンガー１０の肩幅を調節するための部材であって、ワイヤーハンガー１０のワイヤー端部が挿入されてワイヤーハンガー１０に固定されるとともに、その位置を変更してハンガーの両端幅を変更するための弾性を有する合成樹脂又はゴム製の肩部筒状体２０ａ、２０ｂと、該肩部筒状体２０a、２０ｂに設けられた紐孔２１と、該紐孔２１を介して両端の前記肩部筒状体２０ａ、２０ｂの間隔を固定する連結紐部材３０と、からなることを特徴とするワイヤーハンガーの肩幅調整部材１１０、とするものである。
【００１０】
本請求項１に記載された発明は、ワイヤーハンガー１０の両側のワイヤー端部から挿入されてワイヤーハンガー１０の肩部をなす肩部筒状体２０ａ、２０ｂを備え、この肩部筒状体２０ａ、２０ｂの位置を変更することによってハンガーの肩幅の長さを変更できるようにしたものである。すなわち、弾性を有する肩部筒状体２０ａ、２０ｂの内径にワイヤーハンガーの肩部１２と底面１１とをなす線材を押し込むようにしてワイヤーハンガー１０に固定することによって、肩部筒状体２０ａ、２０ｂがハンガーの肩部を形成することができるようにしたものである。したがって、肩部筒状体２０ａ、２０ｂの位置をハンガーの中央から遠ざければ、肩幅は長く形成され、中央に近づければ肩幅の長さを短くすることができる。
【００１１】
さらに、本発明は、ワイヤーハンガー１０の両端に設けられた肩部筒状体２０ａ、２０ｂの間隔を固定するための連結紐部材３０を備えている。本発明の肩部筒状体２０ａ、２０ｂは、弾性を有する合成樹脂又はゴムで作製されているため、肩部筒状体２０ａ、２０ｂは弾性力によって洋服を掛けてもワイヤーハンガー１０からずれない程度の固定力を有している。しかし、より確実な固定を確保するために、肩部筒状体２０ａ、２０ｂに複数の紐孔２１を設けて、両側に取り付けられた肩部筒状体２０ａ、２０ｂを連結紐部材３０で結びつけることができるようにしたものである。
【００１２】
また、請求項２に係る発明が採った手段は、前記紐孔３１は、肩部筒状体２０ａ２０ｂの長手方向に沿って複数設けられていることを特徴とする請求項１に記載のワイヤーハンガーの肩幅調整部材１１０、とするものである。請求項２に記載された発明は、肩部筒状体２０ａ、２０ｂの位置を変更して様々な肩幅に設定したとき、すなわち、肩部筒状体２０ａ、２０ｂ同士を近づけたり、遠ざけたりしたときにも同じ連結紐部材３０で結びつけることができるように、肩部筒状体２０ａ、２０ｂの長手方向に沿って孔を複数設けたものである。
【００１３】
また、請求項３に係る発明が採った手段は、前記肩部筒状体２０ａ、２０ｂは、長手方向に沿って複数の線状凸状部２２が形成されていることを特徴とする請求項１又は２に記載のワイヤーハンガーの肩幅調整部材、とするものである。肩幅調整部材が取り付けられたハンガーは、そもそも合成樹脂又はゴムで作成されているため、掛けた洋服はハンガーから滑りにくくなっているが、この線状凸状部２２を設けれることによって、さらに洋服が滑り落ちるのを防止したものである。
【００１４】
さらに、請求項４に係る発明が採った手段は、請求項１〜３に記載のワイヤーハンガーの肩幅調整部材１１０の下方に取り付けられ、ズボンを掛着させるズボン掛着部材１２０であって、弾性を有する合成樹脂又はゴム製の懸架用筒状体５０からなり、肩幅調整部材１１０から懸架する懸架用紐部材４０を通す懸架用紐孔４１が両端に設けられていることを特徴とするワイヤーハンガーのズボン掛着部材１２０、とするものである。
【００１５】
請求項１から３に記載された肩幅調整部材１１０をワイヤーハンガー１０に取り付けると、ワイヤーのズボン掛着部が肩部筒状体２０ａ、２０ｂ内に挿入されてしまうため、ズボンを掛着することができない。そこで、請求項４に記載された発明は、新たにズボン掛着部を設けるために、弾性を有する合成樹脂又はゴム製の懸架用筒状体５０を、ワイヤーハンガー１０の下方に懸架したものである。その手段として、懸架用筒状体５０の両端に架設用紐孔５１を設けて、先述したワイヤーハンガーの肩幅調整部材１１０に設けられた紐孔２１とを架設用紐部材４０で連結できるようにしたものである。
【００１６】
さらに、請求項５に係る発明が採った手段は、前記懸架用筒状体５０は、長手方向に沿って複数の線状凸状部５２が形成されていることを特徴とする請求項４に記載のワイヤーハンガーのズボン掛着部材、とするものである。懸架用筒状体５０は、そもそも合成樹脂又はゴムで作成されているため、掛けた洋服はハンガーから滑りにくくなっているが、この線状凸状部２２を設けることによって、ズボンが滑り落ちるのをさらに防止したものである。
【００１７】
さらに、請求項６に係る発明が採った手段は、ワイヤーハンガー１０と、複数の紐孔２１が長手方向に設けられるとともに該ワイヤーハンガー１０の両端部からワイヤー端部が挿入されている合成樹脂又はゴム製の肩部筒状体２０ａ、２０ｂと、該肩部筒状体２０ａ、２０ｂの紐孔２１を通して互いを連結している連結紐部材３０と、両端に懸架用紐孔５１が設けられた合成樹脂又はゴム製の懸架用筒状体５０からなるズボン掛着部材１２０と、該ズボン掛着部材１２０を懸架するための懸架用紐部材４０と、を備えていることを特徴とするハンガー１００、とするものである。
【００１８】
請求項６に記載された発明は、ワイヤーハンガー１０を用いて肩幅の調整を可能としたハンガーである。弾性力を有する合成樹脂又はゴム製の肩部筒状体２０ａ、２０ｂをワイヤーハンガー１０の両端部から挿入されていて、この位置を変更することによって肩幅の長さを変更することができる。また、この肩部筒状体２０ａ、２０ｂには長手方向には、複数の紐孔２１が設けられていて、この紐孔２１を連通するように連結紐部材３０で肩部筒状体２０ａ、２０ｂの位置が移動しないように固定され、肩幅調整部材１１０をなしている。さらに、この肩幅調整部材１１０の下方には、ズボンを掛着するための合成樹脂又はゴム製の懸架用筒状体５０が設けられている。この懸架用筒状体５０は、両端に懸架用紐孔５１が設けられていて、懸架用紐孔５１と肩幅調整部材の紐孔２１とを懸架用紐部材４０で連結して、ワイヤーハンガーの下方に懸架されズボン掛着部をなしている。
【発明の効果】
【００１９】
本請求項１に係る発明によれば、一般に使用されているワイヤーハンガー、例えば、クリーニングにおいてワイシャツなどの返還時に用いられているワイヤーハンガーを用いて、容易に肩幅の長さを調整できるハンガーを作製することができる。
【００２０】
しかも、本発明の肩幅調整部材は、単にワイヤーハンガーのワイヤー端部に被せるだけでよく、非常に簡単にワイヤーハンガーに装着することができる。しかも、その長さを調整する場合にも手で肩幅調整部材をワイヤーハンガーの上でずらすだけで簡単に調整することができる。そして、紐孔に連結紐部材を通して両側の肩部筒状体を固定すれば、肩部筒状体を確実にワイヤーハンガーに固定することができる。また、取り外しも肩部筒状体を引き抜けばよいので、容易にワイヤーハンガーから取り外すことができる。したがって、ワイヤーが折れたりした場合にも、新しいワイヤーハンガーに取り付けて容易に再利用することができる。
【００２１】
さらに、ワイヤーハンガーよりも太い肩部筒状体を用いているので、長時間洋服を掛けても洋服にワイヤーの痕がつくおそれがない。さらに弾性を有する合成樹脂又はゴムを用いて作製されているため、洋服のずれ落ちも防止することができる。
【００２２】
本請求項２に係る発明によれば、肩幅調整部材の位置を調整して、両肩部筒状体の幅が広狭しても、長手方向に複数の孔が開いているので、同じ連結紐部材を用いて固定することができる。
【００２３】
本請求項３に記載された発明によれば、肩部筒状体に線状凸状部を設けてあるので、洋服に引っかかって滑り落ちるのを効果的に防止することができる。
【００２４】
本請求項４に係る発明によれば、肩幅調整部材によって、ワイヤーのズボン掛着部が肩部筒状体内に設置されることになったとしても、懸架用紐部材でズボン掛着部材を懸架することによって容易にズボン掛着部を設けることができる。しかも、本ズボン掛着部は、筒状体で作製されていることから、ワイヤーと異なりズボンにワイヤー痕がつきづらいものとなる。さらに、弾性を有する合成樹脂又はゴムで作製されているため、滑りにくくズボンがずれ落ちるのを防止することができる。
【００２５】
本請求項５に記載された発明によれば、懸架用筒状体に複数の線状凸状部が設けてあるので、ズボンが滑り落ちるのを効果的に防止することができる。
【００２６】
本請求項６に係る発明によれば、肩幅調整部材と、ズボン掛着部材がワイヤーハンガーに取り付けられているため、請求項１から５の効果をすべて有したハンガーとすることができる。
【実施例１】
【００２７】
以下、本請求項に係る発明を実施例とともに説明する。図１は、実施例１における肩幅調整部材１１０が取り付けられたハンガー１００の正面図である。ハンガー１００は、ワイヤーハンガー１０、肩部筒状体２０ａ、２０ｂ及び連結紐部材３０とからなる。ワイヤーハンガー１０は、図２に示すようにクリーニング店等で普及使用されているものである。肩幅調整部材１１０は、図３で示したように弾性力を有する合成樹脂又はゴムを用いて肩部筒状体２０ａ、２０ｂに形成されている。弾力性を有する合成樹脂又はゴムを用いたのは、図１に示すように肩部筒状体２０ａ、２０ｂはワイヤーハンガー１０が挿入されて使用されるので、弾力性を備えていればワイヤーハンガー１０が挿入しやすくなり、また、ワイヤーハンガー１０が挿入された後においても容易に肩部筒状体２０ａ、２０ｂがずれなくなるからである。より好ましくはゴムで作製するとよい。この肩部筒状体２０a、２０ｂには、長手方向に沿って複数の紐孔２１が貫通するように設けられており、連結紐部材３０を通すことができる。連結紐部材３０は、肩部筒状体２０ａ、２０ｂに設けられた紐孔２１に通すことができるものであれば、その素材を特に限定するものではない。さらに、この肩部筒状体２０ａ、２０ｂは、長手方向に沿って複数の線状凸状部２２が形成されている。
【００２８】
以上のワイヤーハンガー１０、肩部筒状体２０ａ、２０ｂ及び紐部材３０は、以下のようにして組み立てられる。まず図４に示したように、ワイヤーハンガー１０の底面部１１を押し上げ、ワイヤーハンガー１０の底面１１を肩部１２とほぼ平行になるようにする。そして、肩部筒状体２０ａ、２０ｂ内にワイヤーハンガー１０の両端部、すなわち、肩部１２と底面１１を挿入する。そして、図５に示すように、掛ける衣服に合わせて肩部筒状体２０ａ、２０ｂの位置を調整する。このとき、両側が均等の位置にくるようにするとよい。その後、図６に示したように連結紐部材３０で肩部筒状体２０ａ、２０ｂの間隔を固定してハンガーは完成する。
【００２９】
肩幅の長さを変更したい場合、例えば、肩幅を長くしたい場合には、図７に示すように肩幅調整部材２０ａ、２０ｂを外側へずらせばよい。その後連結紐部材３０の長さに応じて複数設けられた紐孔２１を通して結び、両側の肩部筒状体の位置を固定する。
【００３０】
以上のようにして作製されたハンガーは、図８に示すように、衣類を掛けて使用される。本発明に係るハンガー１００を用いれば、ハンガー１００の肩部の幅の長さを衣服の肩幅に合わせて調整できるので、衣類の肩の先端が余って垂れ下がることがない。また、本発明の肩部筒状体２０ａ、２０ｂは、ワイヤーハンガー１０と比較して、かなり太くかつ合成樹脂又はゴムで作製されているので、肩にワイヤーの痕が付くことを防止することができる。また本発明の肩部筒状体２０ａ、２０ｂは、長手方向に沿って線状凸状部２２が設けられているので、衣服の滑り落ちをも防止することができる。
【実施例２】
【００３１】
実施例２におけるハンガー１００が図９に示されている。実施例２におけるハンガーは、ワイヤーハンガー１０、肩部筒状体２０ａ、２０ｂ、紐部材３０、懸架用紐部材４０及びズボン掛着部材５０からなる。ワイヤーハンガー、肩部筒状体２０ａ、２０ｂ及び紐部材３０は、実施例１と同様であるので、説明を省略する。ズボン掛着部材１２０は、懸架用紐部材４０と懸架用筒状体５０からなる。図１０に示すように合成樹脂又はゴム製の懸架用筒状体で作製されて、ズボンを掛着することができるように比較的長く形成されている。また、両端に懸架用紐部材４０を通すことができる紐孔５１が設けられている。懸架用紐孔４１は、懸架用筒状体５０を懸架用紐部材でつり下げることができれば、特に孔の位置や孔の相関位置は限定されるものではない。実施例２においては、懸架用筒状体５０の短手方向に平行に孔を設けて、紐を折り返して通すことができるようにしてある。懸架用紐部材４１は、肩幅調整部材の肩部筒状体２０ａ、２０ｂに設けられた紐孔２１及びズボン掛着部材５０の紐孔５１に通すことができるものであれば、その素材を特に限定するものではない。
【００３２】
以上のワイヤーハンガー１０、肩幅調整部材１１０、ズボン掛着部材１２０は、以下のようにして組み立てられる。ワイヤーハンガー１０、肩幅調整部材１１０は、実施例１と同様にして組み立てる。そして、図９に示すように肩幅掛着部材１１０に設けられた紐孔２１とズボン懸架用部材の懸架用筒状体５０の両端に設けられた紐孔５１とを紐で結びズボン掛着部材２０ａ、２０ｂを肩幅調整部材２０ａ、２０ｂの下方に懸架する。
【００３３】
以上のようにして作製されたハンガーは、図１１に示すように、ズボン掛着部材１２０にズボンを掛着することができる。さらに、図８に示すように肩幅調整部材１１０に上着を掛けることによって、本ハンガーはズボンと上着の両方を掛けることができるようになる。このとき、ズボン掛着部材１２０は、筒状体で作製され、かつ合成樹脂又はゴムで作製されているので、ズボンにワイヤー痕が残ることがなくい。また、懸架用筒状体５０は、長手方向に線状凸状部５２が設けられているので、ズボンがこの線状凸状部に引っかかってズボンが滑り落ちるのを防止することができる。
【図面の簡単な説明】
【００３４】
【図１】実施例１に係るハンガーを示す正面図である。
【図２】実施例１に係るワイヤーハンガーを示す図である。
【図３】実施例１に係る肩幅調整部材をなす肩部筒状体を表す斜視図である。
【図４】実施例１に係るワイヤーハンガーに肩部筒状体を装着する方法を示した図である。
【図５】実施例１におけるワイヤーハンガーに肩部筒状体を装着したときにハンガーの肩幅の長さを変更する方法を示した模式図である。
【図６】実施例１における肩幅調整部材を取り付けたハンガーを示す図である。
【図７】実施例１における肩幅調整部材の位置を変更して、肩幅を狭くした状態と肩幅を広く設けた状態を示す図である。
【図８】実施例１におけるハンガーに洋服を掛けた状態を示す斜視図である。
【図９】実施例２におけるハンガーを示す正面図である。
【図１０】実施例２におけるズボン掛着部材をなす懸架用筒状体を示す斜視図である。
【図１１】実施例２におけるハンガーにズボンを掛けた状態を示す正面図である。
【図１２】従来のワイヤーハンガーを利用したハンガーを示す図である。
【図１３】従来のワイヤーハンガーを利用したハンガーを示す図である。
【符号の説明】
【００３５】
１０              ワイヤーハンガー
２０ａ、２０ｂ    肩部筒状体
２１              紐孔
３０              連結用紐部材
４０              懸架用紐部材
４１              懸架用紐孔
５０              懸架用筒状体
１１０            肩幅調整部材
１２０            ズボン掛着部材
【図１】
2006141620.tif 000003
【図２】
2006141620.tif 000004
【図３】
2006141620.tif 000005
【図４】
2006141620.tif 000006
【図５】
2006141620.tif 000007
【図６】
2006141620.tif 000008
【図７】
2006141620.tif 000009
【図８】
2006141620.tif 000010
【図９】
2006141620.tif 000011
【図１０】
2006141620.tif 000012
【図１１】
2006141620.tif 000013
【図１２】
2006141620.tif 000014
【図１３】
2006141620.tif 000015